(57)【要約】      （修正有）【課題】互いに操作可能な入力映像とＯＳＤ画像との重畳表示を解消しつつ、ＯＳＤ画像を見つけやすい表示装置を提供する。【解決手段】入力映像信号が示す入力映像を表示画面１２ａに表示する表示パネル１２と、表示パネルに一体的に設けられたタッチパネル１１とからなる表示装置１である。入力映像信号を出力する映像処理部１５と、タッチパネルでタッチ操作可能なＯＳＤ画像を表示画面に表示するためのＯＳＤ信号を出力するＯＳＤ出力部１４と、入力映像信号とＯＳＤ信号とを合成する合成部１６と、入力映像の操作可能領域を隠さないためのＯＳＤ画像の移動許容範囲を設定すると共に、この移動許容範囲内にＯＳＤ画像を表示するように合成部に指示する表示制御部１８とを備える。映像処理部が、入力映像による主画像と１つ以上の副画像とを表示画面に表示させる場合に、表示制御部は、移動許容範囲を表示画面内であって主画像および副画像の外側に設定する。【選択図】図２
2015099232.tif 000002
【特許請求の範囲】
【請求項１】
入力映像信号が示す入力映像を表示画面に表示する表示パネルと、該表示パネルに一体的に設けられたタッチパネルとからなる表示装置であって、
前記入力映像信号を出力する映像処理部と、前記タッチパネルでタッチ操作可能なＯＳＤ画像を前記表示画面に表示するためのＯＳＤ信号を出力するＯＳＤ出力部と、前記入力映像信号と前記ＯＳＤ信号とを合成する合成部と、前記入力映像の操作可能領域を隠さないための前記ＯＳＤ画像の移動許容範囲を設定すると共に、設定された前記移動許容範囲内の所定位置に前記ＯＳＤ画像を表示するように前記合成部に指示する表示制御部とを備え、
前記映像処理部が、前記入力映像による主画像と１つ以上の副画像とを前記表示画面に表示させる場合に、前記表示制御部は、前記移動許容範囲を前記表示画面内であって前記主画像および前記副画像の外側に設定することを特徴とする表示装置。
【請求項２】
請求項１に記載の表示装置であって、
前記表示制御部は、前記主画像の周縁を前記移動許容範囲に含めることを特徴とする表示装置。
【発明の詳細な説明】
【技術分野】
【０００１】
本発明は、表示装置に関し、詳細には、入力映像信号が示す入力映像を表示画面に表示する表示パネルと、表示パネルに一体的に設けられたタッチパネルとからなる表示装置に関する。
【背景技術】
【０００２】
この種の表示装置では、入力映像信号による入力映像を表示パネルの表示画面に表示するが、例えば、入力切り替えや音量調整などのメニュー画像を表示画面に表示できる構造が知られている。このメニュー画像は、ＯＳＤ（On Screen Display）画像ともいい、入力映像上に重畳して表示される。そして、ユーザがＯＳＤ画像を選択すると、そのＯＳＤ画像に応じた切り替えや調整などを実行することができる。
【０００３】
ＯＳＤ画像は入力映像の一部を隠して表示されるため、入力映像が見え難くなる。そこで、例えば、特許文献１〜４には、入力映像にＯＳＤ画像が重畳して表示されている場合、ＯＳＤ画像の表示位置やサイズを変更する技術が開示されている。
【先行技術文献】
【特許文献】
【０００４】
【特許文献１】特開２００６−１９５７７１号公報
【特許文献２】特開２００９−８６４０８号公報
【特許文献３】特開２００４−２３５９４７号公報
【特許文献４】特開２０１０−２８３７７２号公報
【発明の概要】
【発明が解決しようとする課題】
【０００５】
しかしながら、入力映像にＯＳＤ画像が重畳して表示されている場合、上記特許文献１〜４のように、ＯＳＤ画像を表示画面内の任意の位置に移動したり、サイズを小さくすると、ＯＳＤ画像を見失うことが懸念され、ＯＳＤ画像の選択が困難になるという問題がある。
また、タッチパネルを表示パネルに一体的に設けた構造の場合には、入力映像の操作可能領域（例えばアイコン）と同じく操作可能なＯＳＤ画像のいずれがアクティブな状態にあるかが不明になって、操作し難いという問題もある。
【０００６】
本発明は、上述のような実情に鑑みてなされたもので、互いに操作可能な入力映像とＯＳＤ画像との重畳表示を解消しつつ、ＯＳＤ画像が見つけやすくなる表示装置を提供することを目的とする。
【課題を解決するための手段】
【０００７】
上記課題を解決するために、本発明の第１の技術手段は、入力映像信号が示す入力映像を表示画面に表示する表示パネルと、該表示パネルに一体的に設けられたタッチパネルとからなる表示装置であって、前記入力映像信号を出力する映像処理部と、前記タッチパネルでタッチ操作可能なＯＳＤ画像を前記表示画面に表示するためのＯＳＤ信号を出力するＯＳＤ出力部と、前記入力映像信号と前記ＯＳＤ信号とを合成する合成部と、前記入力映像の操作可能領域を隠さないための前記ＯＳＤ画像の移動許容範囲を設定すると共に、設定された前記移動許容範囲内の所定位置に前記ＯＳＤ画像を表示するように前記合成部に指示する表示制御部とを備え、前記映像処理部が、前記入力映像による主画像と１つ以上の副画像とを前記表示画面に表示させる場合に、前記表示制御部は、前記移動許容範囲を前記表示画面内であって前記主画像および前記副画像の外側に設定することを特徴としたものである。
【０００８】
第２の技術手段は、第１の技術手段において、前記表示制御部は、前記主画像の周縁を前記移動許容範囲に含めることを特徴としたものである。
【発明の効果】
【０００９】
本発明によれば、ＯＳＤ画像の移動許容範囲を設定しているので、ＯＳＤ画像が入力映像の操作可能領域を隠さないように移動しても、ＯＳＤ画像を容易に見つけることができる。
【図面の簡単な説明】
【００１０】
【図１】本発明に係る表示装置の外観構成例を示す図である。
【図２】本発明に係る表示装置の機能的な構成例を示すブロック図である。
【図３】本発明の第１実施形態における処理の流れを説明するためのフローチャートである。
【図４】本発明の第１実施形態における表示制御処理を説明するための図である。
【発明を実施するための形態】
【００１１】
以下、添付図面を参照しながら、本発明の表示装置に係る好適な実施の形態について説明する。
図１は、本発明に係る表示装置の外観構成例を示す図である。液晶モニタ１が本発明の表示装置に相当し、例えば、表示画面と液晶モニタの接地面との角度が０°程度の平置きタイプ（ホリゾンスタイルともいう）である。なお、本発明は、ペンライティングスタイル（表示画面と接地面との角度が１０°程度）にも適用可能である。また、本発明に係る表示装置としては、液晶モニタ１以外の薄型表示装置であってもよく、有機ＥＬパネル、プラズマディスプレイあるいは液晶テレビをモニタとして利用するものであってもよい。
【００１２】
図２は、本発明に係る表示装置の機能的な構成例を示すブロック図である。液晶モニタ１は、制御部１０、タッチパネル１１、表示パネル１２、タッチパネル制御部１３、ＯＳＤ出力部１４、映像処理部１５、合成部１６、映像判定部１７、表示制御部１８、記憶部１９を備え、これらはバス２０で接続されている。
制御部１０は、液晶モニタ１の動作を制御するためのＣＰＵなどで構成され、記憶部１９の例えばＲＯＭに格納されている各種のプログラムやデータをＲＡＭにロードし、このロードしたＲＡＭ内のプログラムを実行する。
【００１３】
表示パネル１２は、例えば、液晶パネルで構成される矩形状の表示画面１２ａを有している。
タッチパネル１１は、表示パネル１２に一体的に設けられ、表示画面１２ａ上をユーザの指またはスタイラスペンなどでタッチしたときに、そのタッチ位置（タッチ座標ともいう）を入力するためのセンサである。このセンサとしては、指先と導電膜の間での静電容量の変化を捉えて位置を検出する静電容量方式のものを採用することができる。あるいは、抵抗膜によりアナログ量として電圧を検知する抵抗膜方式、振動波の跳ね返りを圧電素子の電圧の発生によって検出する表面弾性波方式（超音波方式）、主に赤外線ＬＥＤ光源の透過光や反射光を検知する赤外線方式、電子ペンによる入力を行う電磁誘導方式などの方式を採用してもよい。
【００１４】
タッチパネル制御部１３は、タッチパネル１１を介して入力されたタッチ座標を検出する。この検出したタッチ座標は制御部１０に送られ、タッチ操作の情報が作成される。
ＯＳＤ出力部１４では、例えば、タッチ操作可能なＯＳＤ画像を表示画面１２ａに表示するためのＯＳＤ信号を出力する。ＯＳＤ画像は、番組情報やデータ放送等の画像も含むことが多いが、本発明のＯＳＤ画像は、例えば後述するような本機設定メニュー、入力切り替えメニュー、音量メニュー等のタッチ操作可能なメニュー画像であり、各メニュー画像へのタッチで液晶モニタ１を操作することができる。
【００１５】
ＯＳＤ出力部１４は、例えば、液晶モニタ１あるいはリモコンの所定ボタンが押し下げられた場合、ＯＳＤ画像を構成するグラフィックデータやフォントデータ等を、例えば記憶部１９から読み出し、このＯＳＤ画像用のＯＳＤ信号を合成部１６に出力する。
映像処理部１５は、液晶モニタ１への入力映像信号に解像度変換やガンマ補正等の画像処理を施し、合成部１６に出力する。また、映像処理部１５では、後述のように複数画像表示などの画像処理も可能である。
【００１６】
合成部１６は、入力映像信号とＯＳＤ信号とを合成し、ＯＳＤ画像を入力映像に重畳する処理を行う。なお、ＯＳＤ画像を表示しない場合、映像処理部１５で画像処理の済んだ入力映像だけが表示画面１２ａに表示される。
映像判定部１７は、合成部１６からデータを受け取り、入力映像にＯＳＤ画像が重畳されているか否かを判定する。この判定結果は表示制御部１８に送られる。
【００１７】
表示制御部１８では、ＯＳＤ画像の移動許容範囲を設定できる。ＯＳＤ画像の移動許容範囲は、ＯＳＤ画像が入力映像の操作可能領域（例えば、入力映像に表示されたアイコン、またこの他、ガジェット、スタートボタン、付箋、タスクバー、ランチャー等でもよい）を隠さないために設定される領域であり、例えば、入力映像の周縁を基準にしてＯＳＤ画像の大きさを考慮して設定される。
【００１８】
そして、映像判定部１７が、ＯＳＤ画像が入力映像の操作可能領域を隠していると判定した場合、表示制御部１８は、ＯＳＤ画像を、当初の表示位置から設定された移動許容範囲内の所定位置、例えば、入力映像の内側にＯＳＤ画像用のスペースが存在するときには、ＯＳＤ画像の移動許容範囲を入力映像の周縁の内側に移動させるように、あるいは、入力映像の外側にＯＳＤ画像用のスペースが存在するときには、ＯＳＤ画像を入力映像の周縁の外側に移動させるように、合成部１６に指示する。
【００１９】
（第１実施形態）
図３は、本発明の第１実施形態における処理の流れを説明するためのフローチャートであり、図４は、本発明の第１実施形態における表示制御処理を説明するための図である。
この第１実施形態では、映像処理部１５が、ピクチャー・バイ・ピクチャー（ＰｂｙＰ）表示を実行する場合を想定している。
【００２０】
ピクチャー・バイ・ピクチャー表示は、主画像と１つ以上の副画像とをアスペクト比を保持しつつ、表示画面１２ａに並べて表示するためのモードであり、例えば、主画像にＰＣ（Personal Computer）からの映像、副画像に所定チャンネルのテレビ映像を表示する、若しくは、主画像に所定チャンネルのテレビ映像、副画像に別チャンネルのテレビ映像又はインターネットのウェブ映像を表示するなどが可能である。主画像には、現在選択されている入力映像信号による映像が示される。
【００２１】
例えば２画面によるピクチャー・バイ・ピクチャー表示では、表示画面１２ａの大きさよりも縮小された主画像と副画像とが、左右に並べて表示画面１２ａに表示される。なお、上下に並べた表示も可能である。
この場合、ＯＳＤ出力部１４から主画像２１へのＯＳＤ信号が出力され（図３のステップＳ１のＹＥＳ）、仮に、ＯＳＤ画像をそのまま表示した場合、図４（Ａ）に示すように、主画像２１や副画像２５を表示した表示画面１２ａにおいて、ＯＳＤ画像２３が主画像２１内の上端付近に表示される。
【００２２】
図４に示すＯＳＤ画像２３は、左から例えば、本機設定メニュー、入力切り替えメニュー、音量メニュー、ローテートメニュー、指のみ／ペンのみ／指・ペン両方によるタッチモード切り替えメニューの順に表示され、ユーザに選択可能に表示されている。
ここで、図４（Ａ）に示すように、主画像２１内の左上には矩形状のアイコン２２が表示されているが、仮に、ＯＳＤ画像２３をそのまま表示した場合、その本機設定メニューと入力切り替えメニューとの間に位置しているため、アイコン２２が見え難くなり、また、アイコン２２やＯＳＤ画像２３のいずれがアクティブな状態にあるかも不明確である。
【００２３】
特に、第１実施形態のように主画像が縮小表示されると、この主画像が表示画面１２ａと同じ大きさで表示された場合に比べてＯＳＤ画像に重なる領域が増加するので、上記の課題が顕著になる。
そこで、例えば、映像判定部１７が、ＯＳＤ画像２３が主画像２１のアイコン２２を隠していると判定した場合、詳しくは、この第１実施形態のように縮小表示される主画像２１ではＯＳＤ画像２３がそのアイコン２２を常に隠すと判定した場合（図３のステップＳ２のＹＥＳ）、表示制御部１８は、ＯＳＤ画像２３の移動許容範囲２７を設定する（図３のステップＳ３）。
【００２４】
また、第１実施形態のように、主画像２１や副画像２５が縮小表示される場合、表示画面内１２ａのうち主画像２１や副画像２５の上方および下方には、画像の表示されない例えば黒色で示された領域（黒帯領域ともいう）が形成されている。このため、表示制御部１８は、主画像２１および副画像２５の外側、言い換えれば、表示画面内１２ａの黒帯領域をＯＳＤ画像２３の移動許容範囲２７に設定している。
【００２５】
そして、表示制御部１８は、ＯＳＤ画像２３を、図４（Ａ）に示した当初の表示位置から表示画面内１２ａの黒帯領域に移動させるように、合成部１６に指示する（図３のステップＳ４）。
このように、ＯＳＤ画像２３の移動許容範囲２７を設定しているので、ＯＳＤ画像２３が主画像２１のアイコン２２を隠さないように移動しても、ＯＳＤ画像を容易に見つけることができる。
【００２６】
また、ピクチャー・バイ・ピクチャー表示の場合、ＯＳＤ画像２３は、図４（Ｂ）に示すように表示画面内１２ａの黒帯領域に表示されるため、ＯＳＤ画像が主画像のアイコンを隠してしまうのを防止できる。
なお、上記実施形態では、主画像とＯＳＤ画像との重畳が判定された場合、ＯＳＤ画像の移動許容範囲を設定して移動させる例で説明したが、移動許容範囲を予め設定しておき、主画像とＯＳＤ画像との重畳が判定された場合、ＯＳＤ画像を移動許容範囲内で移動させてもよい。
【００２７】
（第２実施形態）
また、上記実施形態では、ＯＳＤ画像の移動許容範囲を黒帯領域内の任意の位置に設定する例を挙げて説明した。しかし、主画像に対するＯＳＤ画像であることを考慮し、主画像の周縁を移動許容範囲に含めてもよい。そして、ＯＳＤ画像の一部が主画像の周縁に接し、かつ、ＯＳＤ画像をこの周縁の外側の黒帯領域に表示すれば、当初の表示位置に非常に近い位置に表示でき、ＯＳＤ画像をより見失わなくなる。
【００２８】
なお、上記の実施形態で記載されている技術的特徴（構成要件）は、お互いに組み合わせ可能であり、組み合わせることにより、新しい技術的特徴を形成することができる。
【符号の説明】
【００２９】
１…液晶モニタ、１０…制御部、１１…タッチパネル、１２…表示パネル、１２ａ…表示画面、１３…タッチパネル制御部、１４…ＯＳＤ出力部、１５…映像処理部、１６…合成部、１７…映像判定部、１８…表示制御部、１９…記憶部、２０…バス、２１…主画像、２２…アイコン、２３…ＯＳＤ画像、２５…副画像、２７…移動許容範囲。
【図１】
2015099232.tif 000003
【図２】
2015099232.tif 000004
【図３】
2015099232.tif 000005
【図４】
2015099232.tif 000006